(57)【要約】【課題】打込み式中空成型機において吹込みノズルを打込むときにパリソンが倒れたり巻き込まれたりしないように安定させる方法と、その実施に使用する分割金型を提供する。【解決手段】打込み式中空成型機のパリソン安定法は、吹込みノズル４を打込む分割金型１，１の打込み口５の周囲に吸気部７を形成し、吹込みノズルを打込む前に、分割金型を閉じて取込んだパリソン９を上記の吸気部から真空引きして分割金型の打込み口５の内周面に密着させる構成とする。このようにパリソン９を密着固定させると吹込みノズル４を打込むときにパリソン９が倒れたり巻き込まれたりすることがなくなる。分割金型は、吹込みノズルを打込む分割金型の打込み口５の周囲に吸気部７を形成して、この吸気部７に連なる吸気通路８を設けた構成とする。【選択図】図３
2005081656.tif 000002
【特許請求の範囲】
【請求項１】
吹込みノズルを打込む分割金型の打込み口の周囲に吸気部を形成し、吹込みノズルを打込む前に、分割金型を閉じて取込んだパリソンの上端開口部を上記の吸気部から真空引きして分割金型の打込み口の内周面に密着させることを特徴とする、打込み式中空成型機のパリソン安定法。
【請求項２】
吹込みノズルを打込む分割金型の打込み口の周囲に吸気部を形成し、この吸気部に連なる吸気通路を設けたことを特徴とする、打込み式中空成型機の分割金型。
【請求項３】
吹込みノズルを打込む分割金型の打込み口を上下に重ねた分割口型で形成し、この上下の分割口型の間に、吸気部となる内周が開放した略環状の隙間を形成したことを特徴とする、請求項２に記載の打込み式中空成型機の分割金型。
【発明の詳細な説明】
【技術分野】
【０００１】
本発明は、打込み式中空成型機の吹込みノズルを分割金型に打込むときにパリソンが倒れたり巻き込まれたりしないように安定させる方法と、この方法の実施に使用する分割金型に関する。
【背景技術】
【０００２】
合成樹脂製のボトル等をブロー成型する従来の打込み式中空成型機は、パリソン押出口から押出されたチューブ状の軟化溶融樹脂よりなるパリソンを、吹込みノズルを打込む打込み口が形成された分割金型に取込み、この分割金型の打込み口から突き出したパリソンの切断開口部に吹込みノズルを打込んで空気を吹込むことにより、パリソンを分割金型の内面に密着させてボトル等を成型するものである。
【０００３】
しかしながら、パリソンは柔らかく分割金型内で斜めに傾倒しやいすいため、吹込みノズルを打ち込んだときに、吹込みノズルがパリソンの切断開口部にうまく挿入されず、吹込みノズルによってパリソンの切断開口部が巻き込まれ、成型不良品が発生するという問題があった。
【０００４】
このような問題は、分割金型の打込み口の口径とパリソン径との差が大きくなるほど生じやすくなるが、その解決を図った打込み式中空成型機に関する技術は未だ開発されていないようである。
【発明の開示】
【発明が解決しようとする課題】
【０００５】
本発明は上記の問題に対処すべくなされたもので、吹込みノズルを打込むときにパリソンが倒れたり巻き込まれたりしないように安定させる方法と、この方法の実施に使用する分割金型を提供することを目的としている。
【課題を解決するための手段】
【０００６】
上記目的を達成するため、本発明に係る打込み式中空成型機のパリソン安定法は、吹込みノズルを打込む分割金型の打込み口の周囲に吸気部を形成し、吹込みノズルを打込む前に、分割金型を閉じて取込んだパリソンを上記の吸気部から真空引きして分割金型の打込み口の内周面に密着させることを特徴とするものである。
【０００７】
そして、本発明に係る打込み式中空成型機の分割金型は、吹込みノズルを打込む分割金型の打込み口の周囲に吸気部を形成して、この吸気部に連なる吸気通路を設けたことを特徴とするものであり、望ましくは、分割金型の打込み口を上下に重ねた分割口型で形成し、この上下の分割口型の間に、吸気部となる内周が開放した略環状の隙間を形成したものである。
【発明の効果】
【０００８】
本発明に係る打込み式中空成型機のパリソン安定法によれば、吹込みノズルを打込む前に、パリソンが分割金型の打込み口の周囲の吸気部から真空引きされて打込み口の内周面に密着するため、パリソンの密着した部分が拡径された状態で固定される。このように固定されると、パリソンを切断する際にパリソンが斜めに傾倒する心配がなく、その拡径されたパリソンの切断開口部に吹込みノズルを同心的な位置関係を保って打込むことができるため、パリソンの切断開口部が吹込みノズルによって巻き込まれることはない。
【０００９】
また、本発明に係る打込み式中空成型機の分割金型によれば、吸気通路を通じて打込み口の周囲の吸気部（上下の分割口型の間に形成された吸気部となる略環状の隙間）からパリソンを真空引きして打込み口の内周面に密着させることができるので、パリソンの傾倒が防止され、吹込みノズルによるパリソンの切断開口部の巻込みもなくなる。
【発明を実施するための最良の形態】
【００１０】
以下、図面を参照して本発明の最良の実施形態を詳述する。
【実施例１】
【００１１】
図１〜図６は本発明の一実施例に係る分割金型の動作を説明する断面図、図７は図１における一方の分割金型のＡ−Ａ矢視図、図８（ａ）（ｂ）は分割金型の上側の分割口型を示す平面図と側面図、図９（ａ）（ｂ）は分割金型の下側の分割口型を示す平面図と側面図である。
【００１２】
図１〜図６に例示した打込み式中空成型機の分割金型は、合成樹脂製のビンを成型するための二分割金型であって、左右方向に開閉する一対の半金型１，１から成る。双方の半金型１，１の上端部には半環状の分割口型２，３が上下に重ねて固定され、図２〜図５に示すように双方の半金型１，１と共に双方の分割口型２，３が閉じると、双方の分割口型２，３によって吹込みノズル４を打込む打込み口５が分割金型の中央上端部に形成されるようになっている。
【００１３】
上側の分割口型２はガイドプレートと呼ばれるもので、図８に示すような半環状プレートから成り、その両端近くには二つのボルト挿通孔２ａ，２ａが穿設されている。そして、分割口型２の裏面内周側の破線で囲まれた部分には、深さ１ｍｍ以下の略半環状の切削凹部２ｂがフライス加工等によって形成されている。この切削凹部２ｂの幅は分割口型２の両端部から中央部に近づくほど広くなり、分割口型２の中央部では分割口型２の外周近くまで拡張されている。
【００１４】
下側の分割口型３はカウンタープレートと呼ばれるもので、上側の分割口型２と対応した図９に示すような半環状プレートから成り、その両端近くにはボルト挿通孔３ａ，３ａが、また、中央部には通気孔３ｂが穿設されている。そして、分割口型３の内周面の上半部は、テーパ面３ｃに形成されている。
【００１５】
このような上側の分割口型２と下側の分割口型３を上下に重ね、図７に示すようにボルト６，６で上下の分割口型２，３を半金型１の上端部に固定すると、上側の分割口型２の裏面内周側には浅い切削凹部２ｂが設けられているため、上下の分割口型２，３の間に略半状の隙間７が形成され、この隙間７に下側の分割口型３の通気孔３ｂが連通することになる。従って、図２〜図５に示すように双方の半金型１，１を閉じると、双方の分割口型２，３によって形成される打込み口５の周囲に、内周が開放した略環状の隙間７，７からなる吸気部が形成されるようになる。
【００１６】
半金型１には、下側の分割口型３の通気孔３ｂを介して上記隙間７（吸気部）に連通する吸気通路８が形成され、この吸気通路８は可撓性のホース（不図示）等を介して真空ポンプ（不図示）に接続されるようになっている。そして、半金型１の内側にはビンを成型するための型面１ａが刻設され、この型面１ａの下方にはバリ９ａを収容する凹部１ｂが形成されている。また、双方の半金型１，１が位置ズレを生じることなく閉じられるように、一方の半金型１には位置決め用の複数の突起１ｃが形成され、他方の半金型１には該突起１ｃに対応した位置決め用の複数の穴１ｄが形成されている。
【００１７】
次に、上記の分割金型を用いてビンをブロー成型する際のパリソン安定法について説明する。
【００１８】
図１に示すように、チューブ状の軟化溶融樹脂よりなるパリソン９をパリソン押出口１０から押出して双方の半金型１，１の間に位置させ、図２に示すように双方の半金型１，１を閉じてパリソン９を取込む。そして、パリソン押出口１０の中心部から予備ブローを行うと同時に、吸気通路８を通じて上下の分割口型２，３の間の吸気部となる隙間７からパリソン９を真空引きする。すると、図３に示すように、パリソン９は分割金型の打込み口５の内周面、つまり上下の口型２，３の内周面に密着し、拡径された状態で固定される。このようにパリソン９が固定されると、図４に示すようにパリソンカッター１１でパリソン９を切断したときに、切断されたパリソン９が傾倒する心配はない。
【００１９】
パリソン９の切断が終わると、双方の半金型１，１を吹込みノズル４の下方へ移動させ、図５示すように吹込みノズル４をパリソン９の切断開口部に打込む。このときパリソン９の切断開口部は上記のように拡径された状態で打込み口５の内周面に密着固定されているため、吹込みノズル４を同心的な位置関係を保ってパリソン９の切断開口部に打込むことができる。従って、吹込みノズル４によってパリソン９の切断開口部が巻き込まれる心配はない。
【００２０】
そして、吹込みノズル４から空気を吹込み、パリソン９を双方の半金型１，１の型面１ａ，１ａへ密着させてビンを成型した後、図６に示すように双方の半金型１，１を開いてビン１２を吹込みノズル４から落下させ、ビン１２の底面のバリ９ａや上端のバリ９ｂを除去して製品とする。
【００２１】
上記のように、本発明のパリソン安定法を用いてブロー成型を行うと、パリソン９の傾倒や巻き込みを確実に防止できるため、不良品の発生が激減し、特に、この効果は分割金型の打込み口の口径とパリソン径との差が大きい場合に顕著である。
【図面の簡単な説明】
【００２２】
【図１】本発明の一実施例に係る分割金型の動作を説明する断面図で、パリソンを取込む前の分割金型が開いた状態を示す。
【図２】同分割金型の動作を説明する断面図で、分割金型が閉じてパリソンを取込んだ状態を示す。
【図３】同分割金型の動作を説明する断面図で、パリソンの上端部を真空引きして分割金型の打込み口の内周面に密着させた状態を示す。
【図４】同分割金型の動作を説明する断面図で、パリソンの上端部をパリソンカッターで切断した状態を示す。
【図５】同分割金型の動作を説明する断面図で、パリソンの切断開口部に吹込みノズルを打ち込んだ状態を示す。
【図６】同分割金型の動作を説明する断面図で、ブロー成型後に分割金型が開いた状態を示す。
【図７】図１における一方の分割金型のＡ−Ａ矢視図である。
【図８】（ａ），（ｂ）は分割金型の上側の分割口型を示す平面図と側面図である。
【図９】（ａ），（ｂ）は分割金型の下側の分割口型を示す平面図と側面図である。
【符号の説明】
【００２３】
１    半金型
１ａ  型面
２    上側の分割口型
２ｂ  切削凹部
３    下側の分割口型
３ｂ  通気孔
４    吹込みノズル
５    吹込みノズルを打込む分割金型の打込み口
７    吸気部となる隙間
８    吸気通路
９    パリソン
１０  パリソン押出口
１２  ビン（成型品）
【図１】
2005081656.tif 000003
【図２】
2005081656.tif 000004
【図３】
2005081656.tif 000005
【図４】
2005081656.tif 000006
【図５】
2005081656.tif 000007
【図６】
2005081656.tif 000008
【図７】
2005081656.tif 000009
【図８】
2005081656.tif 000010
【図９】
2005081656.tif 000011